(57)【要約】  本発明の実施例は信号伝送方法及び装置を開示する。該方法は第一の装置が信号伝送のための基礎パラメータセット及び／又は動作周波数帯域に基づき、該信号伝送のためのビーム数又は該信号の伝送数Ｎを確定することであって、Ｎが正整数である、ことと、該第一の装置が該ビーム数又は該伝送数Ｎに基づき、第二の装置との該信号の伝送を行うこととを含む。本発明の実施例における方法及び装置では、端末装置とネットワークの間の伝送特性に応じて信号伝送のためのビーム数又は該信号の伝送数を柔軟に確定し、より良いビームフォーミングゲインを取得することができる。
2020504464.tif 000002
【特許請求の範囲】
【請求項１】
信号伝送方法であって、
第一の装置が信号伝送のための基礎パラメータセット及び／又は動作周波数帯域に基づき、前記信号伝送のためのビーム数又は前記信号の伝送数Ｎを確定することであって、Ｎが正整数である、ことと、
前記第一の装置が前記ビーム数又は前記伝送数Ｎに基づき、第二の装置との前記信号の伝送を行うこととを含む、前記信号伝送方法。
【請求項２】
前記第一の装置が信号伝送のための基礎パラメータセット及び／又は前記動作周波数帯域に基づき、前記信号伝送のためのビーム数又は前記信号の伝送数Ｎを確定する前に、前記信号伝送方法はさらに、
前記第一の装置が少なくとも一つの基礎パラメータセットから前記基礎パラメータセットを確定すること、又は少なくとも一つの動作周波数帯域から前記動作周波数帯域を確定することを含むことを特徴とする
請求項１に記載の信号伝送方法。
【請求項３】
前記第一の装置が信号伝送のための基礎パラメータセット及び／又は前記動作周波数に基づき、前記信号伝送のためのビーム数又は前記信号の伝送数Ｎを確定することは、
前記第一の装置が前記基礎パラメータセット及び予め設定された第一の対応関係に基づき、前記ビーム数又は前記伝送数Ｎを確定することであって、前記第一の対応関係が前記基礎パラメータセットと前記ビーム数又は前記伝送数Ｎとの対応関係であること、又は
前記第一の装置が前記動作周波数帯域及び予め設定された第二の対応関係に基づき、前記ビーム数又は前記伝送数Ｎを確定することであって、前記第二の対応関係が前記動作周波数帯域と前記ビーム数又は前記伝送数Ｎとの対応関係であることを含むことを特徴とする
請求項１又は２に記載の信号伝送方法。
【請求項４】
前記第一の装置が前記ビーム数又は前記伝送数Ｎに基づき、第二の装置との前記信号の伝送を行うことは、
前記第一の装置が前記ビーム数又は前記伝送数Ｎに基づき、前記ビーム数又は前記伝送数Ｎに対応する物理リソース又はシーケンスリソースを確定することと、
前記第一の装置が前記物理リソース又は前記シーケンスリソースで前記第二の装置との前記信号の伝送を行うこととを含むことを特徴とする
請求項１−３のいずれか一項に記載の信号伝送方法。
【請求項５】
前記第一の装置が前記ビーム数に基づき、第二の装置との前記信号の伝送を行うことは、
前記第一の装置が前記ビーム数に基づき、前記第二の装置へ前記ビーム数に対応するビームフォーミングされた前記信号を送信すること、又は
前記第一の装置が前記第二の装置から送信された、前記ビーム数に対応するビームフォーミングされた前記信号を受信することを含むことを特徴とする
請求項１−４のいずれか一項に記載の信号伝送方法。
【請求項６】
前記第一の装置が前記伝送数Ｎに基づき、第二の装置との前記信号の伝送を行うことは、
前記第一の装置が前記伝送数Ｎに基づき、前記第二の装置へＮ個の前記信号を送信すること、又は
前記第一の装置が、前記第二の装置によって前記伝送数Ｎに基づいて送信されたＮ個の前記信号を受信することを含むことを特徴とする
請求項１−４のいずれか一項に記載の信号伝送方法。
【請求項７】
Ｎ個の前記信号に対して異なるビームを使用してフォーミングし、ここで、Ｎが１より大きい正整数であることを特徴とする
請求項６に記載の信号伝送方法。
【請求項８】
前記第一の装置が前記ビーム数又は前記伝送数Ｎに基づき、第二の装置との前記信号の伝送を行った後、前記信号伝送方法はさらに、
前記第一の装置が前記ビーム数又は前記伝送数Ｎに基づき、前記第二の装置から送信されたフィードバック情報を受信すること、又は
前記第一の装置が前記ビーム数又は前記伝送数Ｎに基づき、前記第二の装置へフィードバック情報を送信することを含み、
ここで、前記フィードバック情報が前記ビーム数に対応するビームセットの第一のビーム、又は前記伝送数Ｎに対応する信号セットの第一の信号を示すことに用いられることを特徴とする
請求項１−７のいずれか一項に記載の信号伝送方法。
【請求項９】
前記フィードバック情報は前記第一のビームのビーム識別子及び／又は前記ビーム識別子に対応するチャネル状態情報（ＣＳＩ）を含み、又は
前記フィードバック情報は前記第一の信号の信号識別子及び／又は前記信号識別子に対応するチャネル状態情報（ＣＳＩ）を含むことを特徴とする
請求項８に記載の信号伝送方法。
【請求項１０】
前記ＣＳＩはランク指示（ＲＩ）、プリコーディングマトリックスインジケータ（ＰＭＩ）及びチャネル品質インジケータ（ＣＱＩ）のうちの少なくとも一つを含むことを特徴とする
請求項９に記載の信号伝送方法。
【請求項１１】
前記第一の装置が少なくとも一つの基礎パラメータセットから前記基礎パラメータセットを確定することは、
前記第一の装置が前記第二の装置から送信された指示情報に基づき、前記基礎パラメータセットを確定することであって、前記指示情報が前記少なくとも一つの基礎パラメータセットの一つの基礎パラメータセットを示すことに用いられること、又は
前記第一の装置がデータ伝送のためのサービスタイプ又は動作周波数ポイントに基づき、前記少なくとも一つの基礎パラメータセットから前記基礎パラメータセットを確定すること、又は
前記第一の装置が前記少なくとも一つの基礎パラメータセットをブラインド検出し、前記基礎パラメータセットを確定することを含むことを特徴とする
請求項２に記載の信号伝送方法。
【請求項１２】
前記信号は同期信号、ブロードキャスト信号、ランダムアクセス信号及びダウンリンク基準信号のうちの少なくとも一つを含むことを特徴とする
請求項１−１１のいずれか一項に記載の信号伝送方法。
【請求項１３】
前記基礎パラメータセットは、サブ搬送波間隔、システム帯域幅に対応するサブ搬送波数、物理リソースブロック（ＰＲＢ）に対応するサブ搬送波数、直交周波数分割多重（ＯＦＤＭ）のシンボル長、ＯＦＤＭ信号を生成するための高速フーリエ変換（ＦＦＴ）又は高速逆フーリエ変換（ＩＦＦＴ）のポイント数、伝送時間間隔（ＴＴＩ）に含まれる前記ＯＦＤＭシンボル数、所定期間内に含まれる前記ＴＴＩの数及び信号プレフィックスタイプのうちの少なくとも一つを含むことを特徴とする
請求項１−１２のいずれか一項に記載の信号伝送方法。
【請求項１４】
前記第一の装置がネットワーク装置であり、前記第二の装置が端末装置であり、又は
前記第一の装置が端末装置であり、前記第二の装置がネットワーク装置であり、又は
前記第一の装置が端末装置であり、前記第二の装置が端末装置であることを特徴とする
請求項１−１３のいずれか一項に記載の信号伝送方法。
【請求項１５】
信号伝送装置であって、前記信号伝送装置が第一の装置であり、前記信号伝送装置は、
信号伝送のための基礎パラメータセット及び／又は動作周波数帯域に基づき、前記信号伝送のためのビーム数又は前記信号の伝送数Ｎを確定するように構成される第一の確定ユニットであって、Ｎが正整数である、第一の確定ユニットと、
前記ビーム数又は前記伝送数Ｎに基づき、第二の装置との前記信号の伝送を行うように構成される伝送ユニットとを備える、前記信号伝送装置。
【請求項１６】
前記信号伝送装置はさらに、
少なくとも一つの基礎パラメータセットから前記基礎パラメータセットを確定するように構成され、又は少なくとも一つの動作周波数帯域から前記動作周波数帯域を確定するように構成される第二の確定ユニットを備えることを特徴とする
請求項１５に記載の信号伝送装置。
【請求項１７】
前記第一の確定ユニットは具体的に、
前記基礎パラメータセット及び予め設定された第一の対応関係に基づき、前記ビーム数又は前記伝送数Ｎを確定するように構成され、前記第一の対応関係が前記基礎パラメータセットと前記ビーム数又は前記伝送数Ｎとの対応関係であること、又は
前記動作周波数帯域及び予め設定された第二の対応関係に基づき、前記ビーム数又は前記伝送数Ｎを確定するように構成され、前記第二の対応関係が前記動作周波数帯域と前記ビーム数又は前記伝送数Ｎとの対応関係であることを特徴とする
請求項１５又は１６に記載の信号伝送装置。
【請求項１８】
前記伝送ユニットは具体的に、
前記ビーム数又は前記伝送数Ｎに基づき、前記ビーム数又は伝送数Ｎに対応する物理リソース又はシーケンスリソースを確定し、
前記物理リソース又は前記シーケンスリソースで前記第二の装置との前記信号の伝送を行うように構成されることを特徴とする
請求項１５−１７のいずれか一項に記載の信号伝送装置。
【請求項１９】
前記伝送ユニットは具体的に、
前記ビーム数に基づき、前記第二の装置へ前記ビーム数に対応するビームフォーミングされた前記信号を送信するように構成され、又は
前記第二の装置から送信された、前記ビーム数に対応するビームフォーミングされた前記信号を受信するように構成されることを特徴とする
請求項１５−１８のいずれか一項に記載の信号伝送装置。
【請求項２０】
前記伝送ユニットは具体的に、
前記伝送数Ｎに基づき、前記第二の装置へＮ個の前記信号を送信するように構成され、又は
前記第二の装置によって前記伝送数Ｎに基づいて送信されたＮ個の前記信号を受信するように構成されることを特徴とする
請求項１５−１８のいずれか一項に記載の信号伝送装置。
【請求項２１】
前記Ｎ個の前記信号は異なるビームによってフォーミングされ、ここで、Ｎが１より大きい正整数であることを特徴とする
請求項１５−１８のいずれか一項に記載の信号伝送装置。
【請求項２２】
前記伝送ユニットはさらに、
前記ビーム数又は前記伝送数Ｎに基づき、前記第二の装置から送信されたフィードバック情報を受信するように構成され、又は
前記ビーム数又は前記伝送数Ｎに基づき、前記第二の装置へフィードバック情報を送信するように構成され、ここで、前記フィードバック情報が前記ビーム数に対応するビームセットの第一のビーム、又は前記伝送数Ｎに対応する信号セットの第一の信号を示すことに用いられることを特徴とする
請求項１５−２１のいずれか一項に記載の信号伝送装置。
【請求項２３】
前記フィードバック情報は前記第一のビームのビーム識別子及び／又は前記ビーム識別子に対応するチャネル状態情報（ＣＳＩ）を含み、又は
前記フィードバック情報は前記第一の信号の信号識別子及び／又は
前記信号識別子に対応するチャネル状態情報（ＣＳＩ）を含むことを特徴とする
請求項２２に記載の信号伝送装置。
【請求項２４】
前記ＣＳＩはランク指示（ＲＩ）、プリコーディングマトリックスインジケータ（ＰＭＩ）及びチャネル品質インジケータ（ＣＱＩ）のうちの少なくとも一つを含むことを特徴とする
請求項２３に記載の信号伝送装置。
【請求項２５】
前記第二の確定ユニットは具体的に、
前記第二の装置から送信された指示情報に基づき、前記基礎パラメータセットを確定するように構成され、前記指示情報が前記少なくとも一つの基礎パラメータセットの一つの基礎パラメータセットを示すことに用いられ、又は
データ伝送のためのサービスタイプ又は動作周波数ポイントに基づき、前記少なくとも一つの基礎パラメータセットから前記基礎パラメータセットを確定ように構成され、又は、
前記少なくとも一つの基礎パラメータセットをブラインド検出し、前記基礎パラメータセットを確定するように構成されることを特徴とする
請求項１６に記載の信号伝送装置。
【請求項２６】
前記信号は同期信号、ブロードキャスト信号、ランダムアクセス信号及びダウンリンク基準信号のうちの少なくとも一つを含むことを特徴とする
請求項１５−２５のいずれか一項に記載の信号伝送装置。
【請求項２７】
前記基礎パラメータセットはサブ搬送波間隔、システム帯域幅に対応するサブ搬送波数、物理リソースブロック（ＰＲＢ）に対応するサブ搬送波数、直交周波数分割多重（ＯＦＤＭ）のシンボル長、ＯＦＤＭ信号を生成するための高速フーリエ変換（ＦＦＴ）又は高速逆フーリエ変換（ＩＦＦＴ）のポイント数、伝送時間間隔（ＴＴＩ）に含まれる前記ＯＦＤＭシンボル数、所定期間内に含まれる前記ＴＴＩの数及び信号プレフィックスタイプのうちの少なくとも一つを含むことを特徴とする
請求項１５−２６のいずれか一項に記載の信号伝送装置。
【請求項２８】
前記第一の装置がネットワーク装置であり、前記第二の装置が端末装置であり、又は
前記第一の装置が端末装置であり、前記第二の装置がネットワーク装置であり、又は
前記第一の装置が端末装置であり、第二の装置が端末装置であることを特徴とする
請求項１５−２７のいずれか一項に記載の信号伝送装置。
【発明の詳細な説明】
【技術分野】
【０００１】
本発明は通信分野に関し、特に信号伝送方法及び装置に関する。
【背景技術】
【０００２】
マルチアンテナ（ＭＩＭＯ：Ｍｕｌｔｉｐｌｅ−Ｉｎｐｕｔ  Ｍｕｌｔｉｐｌｅ−Ｏｕｔｐｕｔ）技術が長期進化（ＬＴＥ：Ｌｏｎｇ  Ｔｅｒｍ  Ｅｖｏｌｕｔｉｏｎ）システムのコア技術の一つであり、システムの伝送レートを大幅に向上することができる。ビームフォーミングはアンテナアレイに基づく信号前処理技術であり、各アンテナアレイ素子上の送信信号の重み値を調整することにより、指向性のあるビームを生成する。
【０００３】
従来技術では、基地局と端末装置の間の信号伝送のためのビーム数が通常予め設定され、比較的単一であり、無線通信技術の継続的進化に伴い、端末装置と基地局の間の伝送特性に応じて信号伝送のためのビーム数を柔軟に確定し、より良いビームフォーミングゲインを取得することができる新しい信号伝送方法が求められる。
【発明の概要】
【発明が解決しようとする課題】
【０００４】
これを鑑みて、本発明の実施例は端末装置とネットワーク装置の間の伝送特性に応じて信号伝送のためのビーム数又は該信号の伝送数を柔軟に確定し、より良いビームフォーミングゲインを取得することができる信号伝送方法及び装置を提供する。
【課題を解決するための手段】
【０００５】
第一の態様による信号伝送方法は、第一の装置が信号伝送のための基礎パラメータセット及び／又は動作周波数帯域に基づき、該信号伝送のためのビーム数又は該信号の伝送数Ｎを確定することであって、Ｎが正整数であることと、該第一の装置が該ビーム数又は該伝送数Ｎに基づき、第二の装置との該信号の伝送を行うこととを含む。
【０００６】
信号伝送のための基礎パラメータセット及び／又は動作周波数帯域に基づき、ビーム数又は信号の伝送数を柔軟に確定することができ、それによってより良いビームフォーミングゲイン量を取得することができる。
【０００７】
選択可能に、信号の伝送数はリソース数はリソース数、例えばチャネル状態情報−基準信号（ＣＳＩ−ＲＳ：Ｃｈａｎｎｅｌ  Ｓｔａｔｅ  Ｉｎｆｏｒｍａｔｉｏｎ−Ｒｅｆｅｒｅｎｃｅ  Ｓｉｇｎａｌ）リソース数で示されてもよい。
【０００８】
第一の態様と組み合わせ、第一の態様の第一の可能な実施形態では、該第一の装置が信号伝送のための基礎パラメータセット及び／又は該動作周波数帯域に基づき、該信号伝送のためのビーム数又は該信号の伝送数Ｎを確定する前に、該方法はさらに該第一の装置が少なくとも一つの基礎パラメータセットから該基礎パラメータセットを確定すること、又は少なくとも一つの動作周波数帯域から該動作周波数帯域を確定することを含む。
【０００９】
異なる基礎パラメータセット又は動作周波数帯域が一般的に異なるビーム幅に対応するため、第一の装置と第二の装置の間に複数の基礎パラメータセット又は複数の動作周波数帯域が存在する場合、異なるビーム幅で異なる数のビームを使用してビームフォーミングを行うことをサポートすることができ、それによって信号オーバーヘッドとビームフォーミングゲインとの良好な折衷を行う。
【００１０】
第一の態様又は上記の第一の態様のいずれかの実施形態と組み合わせ、第一の態様の第二の可能な実施形態では、該第一の装置が信号伝送のための基礎パラメータセット及び／又は動作周波数に基づき、該信号伝送のためのビーム数又は該信号の伝送数Ｎを確定することは、該第一の装置が該基礎パラメータセット及び予め設定された第一の対応関係に基づき、該ビーム数又は該伝送数Ｎを確定することであって、該第一の対応関係が該基礎パラメータセットと該ビーム数又は該伝送数Ｎとの対応関係であること、又は該第一の装置が該動作周波数帯域及び予め設定された第二の対応関係に基づき、該ビーム数又は該伝送数Ｎを確定し、該第二の対応関係が該動作周波数帯域と該ビーム数又は該伝送数Ｎとの対応関係であることを含む。
【００１１】
選択可能に、該第一の対応関係又は該第二の対応関係はネットワーク装置と端末装置によって予め定められてもよく、ネットワーク装置によって設定されてもよく、シグナリングによって端末装置に示される。
【００１２】
第一の態様又は上記の第一の態様のいずれかの実施形態と組み合わせ、第一の態様の第三の可能な実施形態では、該第一の装置が該ビーム数又は該伝送数Ｎに基づき、第二の装置との該信号の伝送を行うことは、該第一の装置が該ビーム数又は該伝送数Ｎに基づき、該ビーム数又は該伝送数Ｎに対応する物理リソース又はシーケンスリソースを確定することと、該第一の装置が該物理リソース又は該シーケンスリソースで該第二の装置との該信号の伝送を行うこととを含む。
【００１３】
選択可能に、ビーム数又は伝送数Ｎと物理リソース又はシーケンスリソースとの対応関係は端末装置とネットワーク装置によって予め定められてもよい。
【００１４】
第一の態様又は上記第一の態様のいずれかの実施形態と組み合わせ、第一の態様の第四の可能な実施形態では、該第一の装置が該ビーム数に基づき、第二の装置との該信号の伝送を行うことは、該第一の装置が該ビーム数に基づき、該第二の装置へ該ビーム数に対応するビームフォーミングされた該信号を送信すること、又は該第一の装置が該第二の装置から送信された、該ビーム数に対応するビームフォーミングされた該信号を受信することを含む。
【００１５】
第一の態様又は上記第一の態様のいずれかの実施形態と組み合わせ、第一の態様の第五の可能な実施形態では、該第一の装置が該伝送数Ｎに基づき、第二の装置との該信号の伝送を行うことは、該第一の装置が該伝送数Ｎに基づき、該第二の装置へＮ個の該信号を送信すること、又は該第一の装置が、該第二の装置によって該伝送数Ｎに基づいて送信されたＮ個の該信号を受信することを含む。
【００１６】
選択可能に、Ｎ個の該信号に対して異なるビームを使用してフォーミングし、ここで、Ｎが１より大きい正整数である。
【００１７】
第一の態様又は上記第一の態様のいずれかの実施形態と組み合わせ、第一の態様の第六の可能な実施形態では、該第一の装置が該ビーム数又は該伝送数Ｎに基づき、第二の装置との該信号の伝送を行った後、該方法はさらに該第一の装置が該ビーム数又は該伝送数Ｎに基づき、該第二の装置から送信されたフィードバック情報を受信すること、又は該第一の装置が該ビーム数又は該伝送数Ｎに基づき、該第二の装置へフィードバック情報を送信することであって、ここで、該フィードバック情報が該ビーム数に対応するビームセットの第一のビーム、又は該伝送数Ｎに対応する信号セットの第一の信号を示すことに用いられることを含む。
【００１８】
第一の態様又は上記第一の態様のいずれかの実施形態と組み合わせ、第一の態様の第七の可能な実施形態では、該フィードバック情報は該第一のビームのビーム識別子及び／又は該ビーム識別子に対応するチャネル状態情報（ＣＳＩ）を含み、又は該フィードバック情報は該第一の信号の信号識別子及び／又は該信号識別子に対応するチャネル状態情報（ＣＳＩ）を含む。
【００１９】
選択可能に、該ＣＳＩはランク指示（ＲＩ：Ｒａｎｋ  Ｉｎｄｉｃａｔｉｏｎ）、プリコーディングマトリックスインジケータ（ＰＭＩ：Ｐｒｅｃｏｄｉｎｇ  Ｍａｔｒｉｘ  Ｉｎｄｉｃａｔｏｒ）、チャネル品質インジケータ（ＣＱＩ：Ｃｈａｎｎｅｌ  Ｑｕａｌｉｔｙ  Ｉｎｄｉｃａｔｏ）などの少なくとも一つであってもよい。
【００２０】
第一の態様又は上記第一の態様のいずれかの実施形態と組み合わせ、第一の態様の第八の可能な実施形態では、該信号は同期信号、ブロードキャスト信号、ランダムアクセス信号とダウンリンク基準信号のうちの少なくとも一つを含む。
【００２１】
第一の態様又は上記第一の態様のいずれかの実施形態と組み合わせ、第一の態様の第九の可能な実施形態では、該基礎パラメータセットは、サブ搬送波間隔、システム帯域幅に対応するサブ搬送波数、物理リソースブロック（ＰＲＢ：ｐｈｙｓｉｃａｌ  ｒｅｓｏｕｒｃｅ  ｂｌｏｃｋ）に対応するサブ搬送波数、直交周波数分割多重（ＯＦＤＭ）のシンボル長、ＯＦＤＭ信号を生成するための高速フーリエ変換（ＦＦＴ：Ｆａｓｔ  Ｆｏｕｒｉｅｒ  Ｔｒａｎｓｆｏｒｍ）又は高速逆フーリエ変換（ＩＦＦＴ：Ｉｎｖｅｒｓｅ  Ｆａｓｔ  Ｆｏｕｒｉｅｒ  Ｔｒａｎｓｆｏｒｍ）のポイント数、伝送時間間隔（ＴＴＩ：Ｔｒａｎｓｍｉｓｓｉｏｎ  Ｔｉｍｅ  Ｉｎｔｅｒｖａｌ）に含まれる該ＯＦＤＭシンボル数、所定期間内に含まれる該ＴＴＩの数と信号プレフィックスタイプのうちの少なくとも一つを含む。
【００２２】
第一の態様又は上記第一の態様のいずれかの実施形態と組み合わせ、第一の態様の第十の可能な実施形態では、該第一の装置が少なくとも一つの基礎パラメータセットから該基礎パラメータセットを確定することは、該第一の装置が該第二の装置から送信された指示情報に基づき、該基礎パラメータセットを確定することであって、該指示情報が該少なくとも一つの基礎パラメータセットの一つの基礎パラメータセットを示すことに用いられること、又は、該第一の装置がデータ伝送のためのサービスタイプ又は動作周波数ポイントに基づき、該少なくとも一つの基礎パラメータセットから該基礎パラメータセットを確定すること、又は、該第一の装置が該少なくとも一つの基礎パラメータセットをブラインド検出し、基礎パラメータセットを確定することを含む。
【００２３】
選択可能に、基礎パラメータセットはネットワーク装置によって予め設定されてもよく、基礎パラメータセットはブラインド検出により取得されてもよい。
【００２４】
選択可能に、該第一の装置がネットワーク装置であり、該第二の装置が端末装置であり、又は該第一の装置が端末装置であり、該第二の装置がネットワーク装置であり、又は該第一の装置が端末装置であり、該第二の装置が端末装置である。
【００２５】
第二の態様による端末装置は上記第一の態様又は第一の態様のいずれかの可能な実施形態における方法を実行することに用いられる。具体的には、該端末は上記第一の態様又は第一の態様のいずれかの可能な実施形態における方法を実行するためのユニットを備える。
【００２６】
第三の態様によるネットワーク装置は上記第一の態様又は第一の態様のいずれかの可能な実施形態における方法を実行することに用いられる。具体的には、該ネットワーク装置は上記第一の態様又は第一の態様のいずれかの可能な実施形態における方法を実行するためのユニットを備える。
【００２７】
第四の態様による装置はメモリ、プロセッサ、送受信機及びバスシステムを備える。ここで、メモリ、プロセッサと送受信機はバスシステムを介して接続され、該メモリが命令を記憶することに用いられ、該プロセッサが該メモリに記憶された命令を実行することに用いられ、該命令が実行される場合、該プロセッサは第一の態様の方法を実行し、そして入力されたデータ及び情報を受信し、操作結果などのデータを出力するように送受信機を制御する。
【００２８】
第五の態様によるコンピュータ記憶媒体は、上記態様を実行するために設計されたプログラムを含む、上記方法のためのコンピュータソフトウェア命令を記憶することに用いられる。
【００２９】
本発明では、端末装置、ネットワーク装置の名前は、装置自体を限定するものではなく、実際に実施中、これらの装置は他の名前で示されてもよい。各装置の機能が本発明と同様であれば、本発明の請求項及びその同等技術の範囲内に属する。
【００３０】
本発明のこれらの態様又は他の態様は以下の実施例の説明からより明らかになる。
【図面の簡単な説明】
【００３１】
【図１】本発明の実施例による可能な応用シーンを示す図である。
【図２】可能なビームフォーミングを示す図である。
【図３】本発明の実施例による信号伝送方法を示すブロック図である。
【図４】本発明の実施例による信号伝送装置を示すブロック図である。
【図５】本発明の実施例による信号伝送装置を示す他のブロック図である。
【発明を実施するための形態】
【００３２】
本発明の実施例の技術的解決策をより明確に説明するために、以下に本発明の実施例に必要な図面を簡単に説明し、明らかに、以下に記載される図面が本発明の幾つかの実施例に過ぎず、当業者であれば、創造的な労力を要することなく、これらの図面に基づいて他の図面を得ることができる。
【００３３】
以下に本発明の実施例の図面を組み合わせながら、本発明の実施例における技術的解決策を明確に、全面的に説明し、明らかに、説明される実施例は本発明の一部の実施例に過ぎず、全ての実施例ではない。本発明の実施例に基づき、当業者が創造的な労力を要せずに得た他の実施例は、全て本発明の保護範囲に属する。
【００３４】
理解すべきものとして、本発明の実施例の技術的解決策は様々な通信システム、例えばグローバルモバイル通信（Ｇｌｏｂａｌ  Ｓｙｓｔｅｍ  ｆｏｒ  Ｍｏｂｉｌｅ  Ｃｏｍｍｕｎｉｃａｔｉｏｎ：「ＧＳＭ」と略称）システム、符号分割多元アクセス（Ｃｏｄｅ  Ｄｉｖｉｓｉｏｎ  Ｍｕｌｔｉｐｌｅ  Ａｃｃｅｓｓ：「ＣＤＭＡ」と略称）システム、帯域符号分割多元接続（Ｗｉｄｅｂａｎｄ  Ｃｏｄｅ  Ｄｉｖｉｓｉｏｎ  Ｍｕｌｔｉｐｌｅ  Ａｃｃｅｓｓ：「ＷＣＤＭＡ」と略称）システム、汎用パケット無線サービス（Ｇｅｎｅｒａｌ  Ｐａｃｋｅｔ  Ｒａｄｉｏ  Ｓｅｒｖｉｃｅ：「ＧＰＲＳ」と略称）、長期進化型（Ｌｏｎｇ  Ｔｅｒｍ  Ｅｖｏｌｕｔｉｏｎ：「ＬＴＥ」と略称）システム、ＬＴＥ周波数分割複信（Ｆｒｅｑｕｅｎｃｙ  Ｄｉｖｉｓｉｏｎ  Ｄｕｐｌｅｘ：「ＦＤＤ」と略称）システム、ＬＴＥ時分割複信（Ｔｉｍｅ  Ｄｉｖｉｓｉｏｎ  Ｄｕｐｌｅｘ  Ｓｙｓｔｅｍ「ＴＤＤ」と略称）システム、ユニバーサル移動体通信システム（Ｕｎｉｖｅｒｓａｌ  Ｍｏｂｉｌｅ  Ｔｅｌｅｃｏｍｍｕｎｉｃａｔｉｏｎ  Ｓｙｓｔｅｍ「ＵＭＴＳ」と略称）、ワールドワイドインターオペラビリティマイクロ波アクセス（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ：「ＷｉＭＡＸ」と略称）通信システム又は将来の第５世代（５Ｇ：５ｔｈＧｅｎｅｒａｔｉｏｎ）システムなどに応用されてもよい。
【００３５】
特に、本発明の実施例の技術的解決策は非直交多重アクセス技術に基づく様々な通信システム、例えば疎コード多重アクセス（Ｓｐａｒｓｅ  Ｃｏｄｅ  Ｍｕｌｔｉｐｌｅ  Ａｃｃｅｓｓ：「ＳＣＭＡ」と略称）システム、低密度署名（Ｌｏｗ  Ｄｅｎｓｉｔｙ  Ｓｉｇｎａｔｕｒｅ：「ＬＤＳ」と略称）システムなどに応用されてもよく、当然、ＳＣＭＡシステムとＬＤＳシステムが通信分野において他の名称と呼ばれてもよく、さらに、本発明の実施例の技術的解決策は非直交多元接続技術を用いたマルチ搬送波伝送システム、例えば非直交多重アクセス技術を用いた非直交周波数分割多重（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ：「ＯＦＤＭ」と略称）、フィルタバンクマルチ搬送波（Ｆｉｌｔｅｒ  Ｂａｎｋ  Ｍｕｌｔｉ−Ｃａｒｒｉｅｒ：「ＦＢＭＣ」と略称）、汎用周波数分割多重化（Ｇｅｎｅｒａｌｉｚｅｄ  Ｆｒｅｑｕｅｎｃｙ  Ｄｉｖｉｓｉｏｎ  Ｍｕｌｔｉｐｌｅｘｉｎｇ：「ＧＦＤＭ」と略称）、フィルタリング直交周波数分割多重化（Ｆｉｌｔｅｒｅｄ−ＯＦＤＭ：「Ｆ−ＯＦＤＭ」と略称）システムなどに応用されてもよい。
【００３６】
本発明の実施例における端末装置はユーザ装置（ＵＥ：Ｕｓｅｒ  Ｅｑｕｉｐｍｅｎｔ）、アクセス端末、加入者ユニット、加入者局、移動局、移動サイト、遠隔局、遠隔端末、移動装置、ユーザ端末、端末、無線通信装置、ユーザエージェント又はユーザ装置と呼ばれてもよい。アクセス端末はセルラー電話、コードレス電話、セッション開始プロトコル（ＳＩＰ：Ｓｅｓｓｉｏｎ  Ｉｎｉｔｉａｔｉｏｎ  Ｐｒｏｔｏｃｏｌ）電話、無線ローカルループ（ＷＬＬ：Ｗｉｒｅｌｅｓｓ  Ｌｏｃａｌ  Ｌｏｏｐ）サイト、パーソナルデジタル処理（ＰＤＡ：Ｐｅｒｓｏｎａ１  Ｄｉｇｉｔａ１  Ａｓｓｉｓｔａｎｔ）、無線通信機能を備えたハンドヘルドデバイス、コンピューティングデバイス又は無線モデムに接続された他の処理装置、車載デバイス、ウェアラブルデバイス、将来の５Ｇネットワークにおける端末装置又は将来の進化した公衆陸上移動ネットワーク（ＰＬＭＮ：Ｐｕｂｌｉｃ  Ｌａｎｄ  Ｍｏｂｉｌｅ  Ｎｅｔｗｏｒｋ）における端末装置などであってもよく、本発明の実施例はこれに限定されない。
【００３７】
本発明の実施例におけるネットワーク装置は端末装置と通信するための装置であってもよく、該ネットワーク装置はＧＳＭ又はＣＤＭＡにおける基地局（ＢＴＳ：Ｂａｓｅ  Ｔｒａｎｓｃｅｉｖｅｒ  Ｓｔａｔｉｏｎ）であってもよく、ＷＣＤＭＡシステムにおける基地局（ＮｏｄｅＢ）であってもよく、ＬＴＥシステムにおける進化型基地局（ｅＮＢ又はｅＮｏｄｅＢ：Ｅｖｏｌｕｔｉｏｎａｌ  Ｎｏｄｅ  Ｂ）であってもよく、クラウドワイヤレスアクセスネットワーク（ＣＲＡＮ：Ｃｌｏｕｄ  Ｒａｄｉｏ  Ａｃｃｅｓｓ  Ｎｅｔｗｏｒｋ）シーンにおける無線コントローラであってもよく、又は該ネットワーク装置は中継局、アクセスポイント、車載デバイス、ウェアラブルデバイス及び将来の５Ｇネットワークにおける端末装置又は将来の進化したＰＬＭＮネットワークにおけるネットワーク装置などであってもよく、本発明の実施例はこれに限定されない。
【００３８】
本発明の実施例における第一の装置がネットワーク側装置であってもよく、端末装置であってもよく、第二の装置がネットワーク側装置であってもよく、端末装置であってもよく、本発明はこれに限定されない。
【００３９】
図１は本発明の一つの応用シーンを示す図である。図１における通信システムは端末装置１０とネットワーク装置２０を備えることができる。ネットワーク装置２０は端末装置１０に通信サービスを提供し且つコアネットワークにアクセスすることに用いられ、端末装置１０はネットワーク装置２０から送信された同期信号、ブロードキャスト信号などを検索してネットワークにアクセスし、それによってネットワークとの通信を行う。図１に示す矢印は端末装置１０とネットワーク装置２０の間のセルラーリンクによるアップリンク／ダウンリンク伝送を示すことができる。
【００４０】
５Ｇシステムでは、伝送レートに対する５Ｇの要求を達成するために、高周波数帯域（中心周波数が６ＧＨｚ以上であり、典型的に２８ＧＨｚである）でのデータ伝送をサポートする必要がある。高周波数帯域でデータ伝送を行う時に、より高い伝送レートを達成するために、マルチアンテナ（ＭＩＭＯ：Ｍｕｌｔｉｐｌｅ  Ｉｎｐｕｔ  Ｍｕｌｔｉｐｌｅ  Ｏｕｔｐｕｔ）技術を使用する必要がある。高周波数帯域でＭＩＭＯ技術を使用するとアンテナのＲＦデバイスに対する要求が高く、アンテナハードウェアコスト（例えばアナログ／デジタル（Ａ／Ｄ）、デジタル／アナログ（Ｄ／Ａ）変換器）も大幅に増加する。コストを削減するために、高周波数帯域で混合ビームフォーミングにより送受信ＲＦユニットの数を減らすことが一般的である。図２に示すように、データ信号はデジタルビームフォーミングが行われた後、各ＲＦユニットのデジタル送信信号を形成し、デジタル／アナログ変換器によってアナログ信号になる。各ＲＦユニットに対応するアナログ信号は異なる位相シフタによってアナログフォーミング信号を形成して異なるアンテナユニットで伝送され、それによってアナログドメインでビームフォーミングを実現する。このような混合ビームフォーミング方法によりＲＦチャネルの数を低減し、それによってハードウェアコストを削減し、同時にビームフォーミングゲインを取得することができる。送信側だけでなく、受信側で同様の方法を使用してアナログ受信フォーミングによりチャネル数を低減することができる。
【００４１】
一般的に、ビーム幅が広いほど、必要なビームが少なくとなり、逆に、必要なビームが多くなる。ビームの幅は使用されるサブ搬送波間隔と動作周波数帯域などの要因に関連付けられ、例えば、動作周波数帯域が高いほど、対応するビーム幅が狭くなり、そのため必要なビームも多くなる。
【００４２】
図３は本発明の実施例による信号伝送方法１００を示す概略ブロック図である。図３に示すように、該方法１００はＳ１１０とＳ１２０を含む。
【００４３】
Ｓ１１０：第一の装置は信号伝送のための基礎パラメータセット及び／又は動作周波数帯域に基づき、該信号伝送のためのビーム数又は前記信号の伝送数Ｎを確定し、Ｎが正整数である。
【００４４】
Ｓ１２０：該第一の装置は該ビーム数又は該伝送数Ｎに基づき、第二の装置との該信号の伝送を行う。
【００４５】
まず、以下の点を説明する必要がある。
【００４６】
一．ここでの第一の装置と第二の装置はそれぞれ端末装置とネットワーク装置であってもよく、それぞれ端末装置と端末装置であってもよく、説明を容易にするために、以下に端末装置とネットワーク装置の間で信号を伝送することを例として説明する。
【００４７】
二．ここでの信号はアップリンク信号であってもよく、ダウンリンク信号であってもよく、同期信号であってもよく、物理ブロードキャストチャネル（ＰＢＣＨ：Ｐｈｙｓｉｃａｌ  Ｂｒｏａｄｃａｓｔ  Ｃｈａｎｎｅｌ）、システム情報ブロック（ＳＩＢ：Ｓｙｓｔｅｍ  Ｉｎｆｏｒｍａｔｉｏｎ  Ｂｌｏｃｋ）などのブロードキャスト信号であってもいし、ランダムアクセス信号であってもよく、ＣＳＩ−ＲＳ、復調基準信号（ＤＭＲＳ：Ｄｅｍｏｄｕｌａｔｉｏｎ  Ｒｅｆｅｒｅｎｃｅ  Ｓｉｇｎａｌ）などのダウンリンク基準信号であってもよい。
【００４８】
三．ここでのビーム数と伝送数Ｎは一対一で対応する。具体的には、Ｎ個のビームによってＮ個のビームフォーミングされた信号を取得することができる。
【００４９】
四．ここでの第二の装置が該信号の伝送を行うことは第二の装置と該信号の送受信を行うことであり、第一の装置が第二の送信から送信された該信号を受信することであってもよく、第一の装置が第二の装置へ該信号を送信することであってもよい。
【００５０】
通信技術の継続的な進化に伴い、将来の通信システムでは多様化されたサービス種類が必要となり、ＬＴＥシステムで単一のサブ搬送波幅を使用すると通信要求を満たすことができない。ＬＴＥシステムと異なり、システムの柔軟性及び前方互換性を維持するために、５Ｇなどの将来の無線通信システムにおける一つの搬送波／セル／無線伝送ノード（ＴＲＰ：Ｔｒａｎｓｍｉｔ  Ｒｅｃｅｉｖｅ  ｐｏｉｎｔ）に複数の基礎パラメータセット（ｎｕｍｅｒｏｌｏｇｙ）又は動作周波数帯域が可能である。例えば、異なるｎｕｍｅｒｏｌｏｇｙが一般的に異なる搬送波間隔を使用するため、異なる基礎パラメータセット又は異なる動作周波数帯域が異なるビーム幅に対応し、５Ｇなどの将来の無線通信システムでは、異なるビーム幅で異なる数のビームを使用してビームフォーミングを行うことをサポートし、それによって信号オーバーヘッドとビームフォーミングゲインとの良好な折衷を行うことができる。
【００５１】
選択可能に、本発明の実施例では、該第一の装置が信号伝送のための基礎パラメータセット及び／又は該動作周波数帯域に基づき、該信号伝送のためのビーム数又は該信号の伝送数Ｎを確定する前に、該方法はさらに該第一の装置が少なくとも一つの基礎パラメータセットから該基礎パラメータセットを確定すること、又は少なくとも一つの動作周波数帯域から該動作周波数を確定することを含む。
【００５２】
具体的には、該第一の装置が少なくとも一つの基礎パラメータセットから該基礎パラメータセットを確定することは、該第一の装置が該第二の装置から送信された指示情報に基づき、該基礎パラメータセットを確定することであって、該指示情報が該少なくとも一つの基礎パラメータセットの一つの基礎パラメータセットを示すことに用いられること、又は該第一の装置がデータ伝送のためのサービスタイプ又は動作周波数ポイントに基づき、該少なくとも一つの基礎パラメータセットから該基礎パラメータセットを確定すること、又は該第一の装置が該少なくとも一つの基礎パラメータセットをブラインド検出し、該基礎パラメータセットを確定することを含む。
【００５３】
理解すべきものとして、上記基礎パラメータセットは第一の装置によってそれ自体の伝送パラメータ（例えば現在の信号のサービスタイプ又は動作周波数ポイント）に基づいて確定されてもよく、第一の装置に構成された少なくとも一つの基礎パラメータセットから選択されてもよく、第一の装置と第二の装置によって予め定められてもよく、また第二の装置が第二装置に構成された少なくとも一つの基礎パラメータセットから選択して基礎パラメータセットを第一の装置に通知することなどであってもよく、上記基礎パラメータセットは第一の装置によって少なくとも一つの基礎パラメータセットをブラインド検出して取得されてもよく、本発明は第一の装置が基礎パラメータセットを取得する方式を限定するものではない。例えば、端末装置は一つの予め定義されたサブ搬送波間隔セットから、あるサブ搬送波を使用して伝送された信号を検出するまでその中の各サブ搬送波間隔をそれぞれブラインド検出することができる。例えば、端末装置とネットワーク装置は異なる動作周波数ポイントに対応する基礎パラメータセットを予め定めることができ、端末装置は現在のデータ伝送のための動作周波数ポイントに基づいて対応する基礎パラメータセットを確定することができる。
【００５４】
理解すべきものとして、上記動作周波数帯域即ち信号伝送のための周波数帯域又は周波数ポイント範囲又はある周波数ポイントは例えば０〜６ＧＨｚ、６〜２８ＧＨｚ、２８〜４０ＧＨｚ、４０〜６０ＧＨｚ及び６０ＧＨｚ以上などであってもよい。
【００５５】
選択可能に、上記基礎パラメータセットは少なくとも一つのパラメータを含むことができ、具体的に、
サブ搬送波間隔、特定帯域幅におけるサブ搬送波の数、物理リソースブロック（ＰＲＢ）におけるサブ搬送波の数、直交周波数分割多重（ＯＦＤＭ）のシンボル長、ＯＦＤＭ信号を生成するためのフーリエ変換例えば高速フーリエ変換（Ｆａｓｔ  Ｆｏｕｒｉｅｒ  Ｔｒａｎｓｆｏｒｍ：「ＦＦＴ」と略称）又は逆フーリエ変換例えば高速逆フーリエ変換（Ｉｎｖｅｒｓｅ  Ｆａｓｔ  Ｆｏｕｒｉｅｒ  Ｔｒａｎｓｆｏｒｍ：「ＩＦＦＴ」と略称）のポイント数、伝送時間間隔（ＴＴＩ）におけるＯＦＤＭシンボル数、特定時間長内に含まれるＴＴＩの数と信号プレフィックスタイプのうちの少なくとも一つを含むことができる。より具体的には、該少なくとも一つのパラメータは信号伝送のための時間周波数リソースの数を確定することに用いられてもよい。
【００５６】
ここで、サブ搬送波間隔は隣接するサブ搬送波の周波数間隔、例えば１５ｋＨｚ、６０ｋＨｚなどであり、特定帯域幅におけるサブ搬送波数が例えば可能なシステム帯域幅ごとに対応するサブ搬送波数であり、ＰＲＢに含まれるサブ搬送波の数が例えば典型的に１２の整数倍であってもよく、ＴＴＩに含まれるＯＦＤＭシンボルの数が例えば典型的に１４の整数倍であってもよく、一定時間単位内に含まれるＴＴＩの数が１ｍｓ又は１０ｍｓの時間長内に含まれるＴＴＩの数であってもよく、信号プレフィックスの長さが例えば信号のサイクリックプレフィックスの時間長であり、又はサイクリックプレフィックス（ＣＰ）が通常のＣＰで拡張されてもよく、ＣＰで拡張されてもよい。
【００５７】
選択可能に、本発明の実施例では、該第一の装置が信号伝送のための基礎パラメータセット及び／又は該動作周波数帯域に基づき、該信号伝送のためのビーム数又は前記信号の伝送数Ｎを確定することは、該第一の装置が該基礎パラメータセット及び予め設定された第一の対応関係に基づき、該ビーム数又は該伝送数Ｎを確定することであって、該第一の対応関係が該基礎パラメータセットと該ビーム数又は該伝送数Ｎとの対応関係であること、又は該第一の装置が該動作周波数帯域及び予め設定された第二の対応関係に基づき、該ビーム数又は該伝送数Ｎを確定することであって、該第二の対応関係が該動作周波数帯域と該ビーム数又は該伝送数Ｎとの対応関係であることを含む。
【００５８】
選択可能に、該第一の装置はさらに使用された基礎パラメータセットと動作周波数帯域及び第三の対応関係に基づき、ビーム数又は伝送数Ｎを確定することができる。該第三の対応関係は基礎パラメータセット、動作周波数帯域及びビーム数という三者の対応関係であってもよく、基礎パラメータセット、動作周波数帯域及び信号数という三者の対応関係であってもよい。
【００５９】
理解すべきものとして、上記対応関係はネットワーク装置によって端末装置に示されてもよく、ネットワーク装置と端末装置によって予め設定されてもよい。以下に表１〜表３における対応関係を例として詳細に説明する。
【００６０】
2020504464.tif 000003
2020504464.tif 000004
2020504464.tif 000005
例えば、端末装置がネットワーク装置へランダムアクセス信号を伝送し、そしてこの時に端末装置がそれ自体の伝送特性に応じて、又は複数のサブ搬送波間隔をブラインド検出し、該ランダムアクセス信号を伝送するためのサブ搬送波間隔が１５ｋＨｚであることを確定することができる場合、端末装置とネットワーク装置は上記表１を予め定めて端末装置及び／又はネットワーク装置に記憶することができ、これにより端末装置及び／又はネットワーク装置は表１に基づき、該ランダムアクセス信号を伝送するためのビーム数又は該ランダムアクセス信号を伝送するための対応する伝送数が４であることを確定することができる。例えば、ネットワーク装置が端末装置へダウリンク基準信号、例えばＣＳＩ−ＲＳを伝送する場合、ネットワーク装置はそれ自体の伝送特性に応じて、又は複数のサブ搬送波間隔をブラインド検出し、該ＣＳＩ−ＲＳを伝送するための動作周波数帯域が６−２８ＧＨｚであることを確定することができ、同様に、端末装置とネットワーク装置は上記３を予め定めて端末装置及び／又はネットワーク装置に記憶することができ、これにより端末装置及び／又はネットワーク装置は表３に基づき、該ＣＳＩ−ＲＳを伝送するためのビーム数又は該ＣＳＩ−ＲＳに対応する伝送数が３２であることを確定することができる。
【００６１】
理解すべきものとして、信号の伝送数Ｎは信号のためのリソースで示されてもよい。例えば、該信号はＣＳＩ−ＲＳリソースで示されてもよく、この時に伝送数ＮはＣＳＩ−ＲＳリソース数であり、又はＣＳＩ−ＲＳリソース数から取得されてもよい。
【００６２】
選択可能に、本発明の実施例では、該第一の装置が該ビーム数又は該伝送数Ｎに基づき、第二の装置との該信号の伝送を行うことは、該第一の装置が該ビーム数又は該伝送数Ｎに基づき、該ビーム数又は該伝送数Ｎに対応する物理リソース又はシーケンスリソースを確定することと、該第一の装置が該物理リソース又は該シーケンスリソースで該第二の装置との該信号の伝送を行うことを含む。
【００６３】
具体的には、端末装置とネットワーク装置は各ビーム対応信号のための物理リソースを予め定めることができ、端末装置及び／又はネットワーク装置はビーム数又は伝送数Ｎに基づき、送信されるビーム対応信号を確定し、そして各ビーム対応信号のための物理リソースで対応信号の送受信を行う。例えば、端末装置とネットワーク装置は、ビーム数又は伝送数Ｎが４であり、これに対応して物理リソースが１〜４つ（全ての物理リソースを２０つに分け、そして異なるラベルの物理リソースに対応する位置が唯一であると仮定する）であることを予め定めることができ、端末装置がランダムアクセス信号を伝送する必要がある場合、ビーム数又は伝送数Ｎに基づいて物理リソース１〜４を確定してランダムアクセス信号の伝送を行うことができる。端末装置とネットワーク装置はさらに各ビーム対応信号のためのシーケンスリソースを予め定めることができ、ここで、シーケンスリソースが該信号伝送のためのシーケンスを確定することに用いられてもよい。理解すべきものとして、上記は本発明の実施例の一例に過ぎず、本発明の実施例はこれに限定されない。
【００６４】
選択可能に、本発明の実施例では、該第一の装置がビーム数に基づき、第二の装置との該信号の伝送を行うことは、該第一の装置が該ビーム数に基づき、該第二の装置へ該ビーム数に対応するビームフォーミングされた該信号を送信すること、又は該第一の装置が該第二の装置から送信された、該ビーム数に対応するビームフォーミングされた該信号を受信することを含む。
【００６５】
選択可能に、本発明の他の実施例では、該第一の装置が該伝送数Ｎに基づき、第二の装置との該信号の伝送を行うことは、該第一の装置が該伝送数Ｎに基づき、該第二の装置へＮ個の該信号を送信すること、又は該第一の装置が該第二の装置によって該伝送数Ｎに基づいて送信されたＮ個の該信号を受信することを含む。
【００６６】
理解すべきものとして、伝送は一般的に送受信を含み、言い換えれば、本発明の実施例における伝送は第一の装置が信号を送信すること、及び第一の装置が信号を受信することを含む。そして第一の装置は確定されたビーム数又は伝送数Ｎに基づいて第二の装置へビームフォーミングされた信号を送信し、又は第一の装置は第二の装置が確定されたビーム数又は伝送数Ｎに基づいて送信した、ビームフォーミングされた信号を受信する。
【００６７】
選択可能に、該Ｎ個の該信号は異なるビームによってフォーミングされ、ここでＮが１より大きい正整数である。具体的には、該信号は異なるビームによってフォーミングされることができ、異なるビームによって送信フォーミングが行われてもよい。
【００６８】
さらに、本発明の実施例では、該第一の装置が該ビーム数又は該伝送伝送数Ｎに基づき、第二の装置との該信号の伝送を行った後、該方法はさらに該第一の装置が該ビーム数又は該伝送数Ｎに基づき、該第二の装置から送信されたフィードバック情報を受信すること、又は該第一の装置が該ビーム数又は該伝送数Ｎに基づき、該第二の装置へフィードバック情報を送信し、ここで、該フィードバック情報が該ビーム数に対応するビームセットの第一のビーム、又は該伝送数Ｎに対応する信号セットの第一の信号を示すことに用いられることを含む。
【００６９】
当業者は、ビームフォーミング技術がチャネル情報のフィードバック方式に応じて、コードブックに基づく（Ｃｏｄｅｂｏｏｋ  ｂａｓｅｄ）ものとチャネル相反性に基づくものという二つの方式に分けられてもよい。前者は端末装置からフィードバックされたコードブック情報に基づき、ネットワーク装置によって次の伝送のためのプリコードコードブックを確定し、後者はアップリンクで送信されたサウンディング基準信号（ＳＲＳ：Ｓｏｕｎｄｉｎｇ  Ｒｅｆｅｒｅｎｃｅ  Ｓｉｇｎａｌ）に基づき、チャネル相反性によりダウンリンクチャネル情報を取得し、そしてダウンリンクに必要なプリコーディングマトリックスの計算及び選択を行う。例えば、ネットワーク装置がＮ個のビームによってフォーミングされる場合、端末装置は一般的にビーム数に基づいて一つのビームインデックス又は該ビームインデックスに対応するＣＳＩ−ＲＳリソースのインデックスなどを報告し、ネットワーク装置が後のデータに対してビームフォーミングを行うようにする。通常、端末装置から報告されたビームインデックスはネットワーク装置がマルチビームによって送信したダウンリンク信号のうちの信号品質が最も良い信号のためのビームであってもよく、信号品質が２番目にあるビーム、又は他のビームインデックスであってもよく、本発明はこれに限定されない。
【００７０】
選択可能に、該フィードバック情報は該第一のビームのビーム識別子及び／又は該ビーム識別子に対応するチャネル状態情報（ＣＳＩ）を含み、又は該フィードバック情報は該第一の信号の信号識別子及び／又は該信号識別子に対応するチャネル状態情報（ＣＳＩ）を含む。
【００７１】
第一の装置は前記ビーム数に基づいてビーム識別子（例えばビームインデックス）のフィードバックを行うことができる。各ビームの識別子がビーム数に対応する全てのビームにおける一つのビームの識別子を示し、例えば、ビーム数がＮである場合、一つのビーム識別子のビット数がｌｏｇ２（Ｎ）であってもよい。前記端末はビーム数に基づいて各ビームに対応する信号を受信し、それによってビーム識別子を報告することができる。第一の装置はさらにビーム識別子に対応するＣＳＩのフィードバックを同時に行うことができる。具体的には、第一の装置はあるビームを示すための情報をフィードバックする以外、該ビーム測定に基づいて得られたＣＳＩをフィードバックする必要がある。例えば、該ＣＳＩはランク指示ＲＩ、プリコーディングマトリックスインジケータ（ＰＭＩ）とチャネル品質インジケータ（ＣＱＩ）のうちの少なくとも一つを含む。
【００７２】
第一の装置は前記信号数に基づいて信号識別子のフィードバックを行う。各前記信号識別子が信号数に対応する全ての信号における一つの信号の識別子を示し、例えば、信号数がＮであると仮定する場合、一つの信号識別子のビット数がｌｏｇ２（Ｎ）であってもよい。ここでの信号は信号のためのリソースで示されてもよく、そのため信号識別子は信号リソース識別子、例えばＣＳＩ−ＲＳリソース識別子であってもよい。例えば、第一の装置はＣＳＩ−ＲＳリソースの数が４つである場合、それぞれ４つのＣＳＩ−ＲＳリソースでのＣＳＩ−ＲＳ信号を検出し、検出された信号のうちの信号品質が最も良いＣＳＩ−ＲＳ信号を取得し、前記ＣＳＩ−ＲＳ信号に対応するＣＳＩ−ＲＳリソースのインデックスを信号識別子として第二の装置にフィードバックする。第一の装置はさらに信号識別子に対応するＣＳＩのフィードバックを同時に行うことができる。具体的には、第一の装置はリソース識別子をフィードバックする以外、リソース識別子に対応する信号に基づいて検出して取得されたＣＳＩをフィードバックする必要がある。例えば、該ＣＳＩはランク指示（ＲＩ）、プリコーディングマトリックスインジケータ（ＰＭＩ）とチャネル品質インジケータ（ＣＱＩ）の少なくとも一つを含む。
【００７３】
理解すべきものとして、本発明の実施例では、該第一の装置がネットワーク装置又は端末装置であってもよく、該第二の装置がネットワーク装置又は端末装置であってもよく、そして端末装置とネットワーク装置、端末装置と端末装置、及びネットワーク装置とネットワーク装置のインタラクションについて具体的に上記技術的解決策を参照することができる。
【００７４】
以上に本発明の実施例による信号伝送方法を詳細に説明し、以下に図４と図５と組み合わせ、本発明の実施例による信号伝送装置を説明し、方法の実施例で記載される技術的特徴は以下の装置の実施例に適用する。
【００７５】
図４は本発明の実施例による信号伝送装置２００を示す図である。ここで、該装置２００は第一の装置であり、図４に示すように、該装置２００は第一の確定ユニット２１０と伝送ユニット２２０を備える。
【００７６】
第一の確定ユニット２１０は信号伝送のための基礎パラメータセット及び／又は動作周波数帯域に基づき、該信号伝送のためのビーム数又は該信号の伝送数Ｎを確定するように構成され、Ｎが正整数である。
【００７７】
伝送ユニット２２０は、該ビーム数又は該伝送数Ｎに基づき、第二の装置との該信号の伝送を行うように構成される。
【００７８】
したがって、本発明の実施例による信号伝送装置では、信号伝送のための基礎パラメータセット及び／又は動作周波数帯域に基づき、ビーム数又は信号伝送数を柔軟に確定することができ、それによってより良いビームフォーミングゲインを取得することができる。
【００７９】
選択可能に、本発明の実施例では、該装置２００はさらに、
少なくとも一つの基礎パラメータセットから該基礎パラメータセットを確定し、又は少なくとも一つの動作周波数帯域から該動作周波数帯域を確定するように構成される第二の確定ユニット２３０を備える。
【００８０】
異なる基礎パラメータセット又は動作周波数帯域が一般的に異なるビーム幅に対応するため、第一の装置と第二の装置の間に複数の基礎パラメータセット又は複数の動作周波数帯域が存在する時に、異なるビーム幅で異なる数のビームを使用してビームフォーミングを行うことをサポートすることができ、それによって信号オーバーヘッドとビームフォーミングゲインとの良好な折衷を行う。
【００８１】
選択可能に、本発明の実施例では、該第一の確定ユニット２１０は具体的に、
該基礎パラメータセット及び予め設定された第一の対応関係に基づき、該ビーム数又は該伝送数Ｎを確定し、該第一の対応関係が該基礎パラメータセットと該ビーム数又は該伝送数Ｎとの対応関係であること、又は該動作周波数帯域及び予め設定された第二の対応関係に基づき、該ビーム数又は該伝送数Ｎを確定するように構成され、該第二の対応関係が該動作周波数帯域と該ビーム数又は該伝送数Ｎとの対応関係であることを含む。
【００８２】
選択可能に、本発明の実施例では、該伝送ユニット２２０は具体的に、
該ビーム数又は該伝送数Ｎに基づき、該ビーム数又は伝送数Ｎに対応する物理リソース又はシーケンスリソースを確定し、該物理リソース又は該シーケンスリソースで該第二の装置との該信号の伝送を行うように構成される。
【００８３】
選択可能に、本発明の実施例では、該伝送ユニット２２０は具体的に、
該ビーム数に基づき、該第二の装置へ該ビーム数に対応するビームフォーミングされた該信号を送信し、又は該第二の装置から送信された、該ビーム数に対応するビームフォーミングされた該信号を受信するように構成される。
【００８４】
選択可能に、本発明の実施例では、該伝送ユニット２２０は具体的に、
該伝送数Ｎに基づき、該第二の装置へＮ個の該信号を送信し、又は該第二の装置によって該伝送数Ｎに基づいて送信されたＮ個の該信号を受信するように構成される。
【００８５】
選択可能に、本発明の実施例では、該Ｎ個の該信号は異なるビームによってフォーミングされ、ここで、Ｎが１より大きい正整数である。
【００８６】
選択可能に、本発明の実施例では、該伝送ユニット２２０はさらに、
該ビーム数又は該伝送数Ｎに基づき、該第二の装置から送信されたフィードバック情報を受信するように構成され、又は
該ビーム数又は該伝送数Ｎに基づき、該第二の装置へフィードバック情報を送信するように構成され、ここで、該フィードバック情報が該ビーム数に対応するビームセットの第一のビーム、又は該伝送数Ｎに対応する信号セットの第一の信号を示すことに用いられる。
【００８７】
選択可能に、本発明の実施例では、該フィードバック情報は該第一のビームのビーム識別子及び／又は該ビーム識別子に対応するチャネル状態情報（ＣＳＩ）を含み、又は該フィードバック情報は該第一の信号の信号識別子及び／又は該信号識別子に対応するチャネル状態情報（ＣＳＩ）を含む。
【００８８】
選択可能に、本発明の実施例では、該ＣＳＩはランク指示（ＲＩ）、プリコーディングマトリックスインジケータ（ＰＭＩ）とチャネル品質インジケータ（ＣＱＩ）の少なくとも一つを含む。
【００８９】
選択可能に、本発明の実施例では、該第二の確定ユニット２３０は具体的に、
該第二の装置から送信された指示情報に基づき、該基礎パラメータセットを確定するように構成され、該指示情報が該少なくとも一つの基礎パラメータセットの一つの基礎パラメータセットを示すことに用いられ、又はデータ伝送のためのサービスタイプ又は動作周波数ポイントに基づき、該少なくとも一つの基礎パラメータセットから該基礎パラメータセットを確定ように構成され、又は、該少なくとも一つの基礎パラメータセットをブラインド検出し、該基礎パラメータセットを確定するように構成される。
【００９０】
選択可能に、本発明の実施例では、該信号は同期信号、ブロードキャスト信号、ランダムアクセス信号とダウンリンク基準信号のうちの少なくとも一つを含む。
【００９１】
選択可能に、本発明の実施例では、該基礎パラメータセットはサブ搬送波間隔、システム帯域幅に対応するサブ搬送波数、物理リソースブロック（ＰＲＢ）に対応するサブ搬送波数、直交周波数分割多重（ＯＦＤＭ）のシンボル長、ＯＦＤＭ信号を生成するためのＦＦＴ又はＩＦＦＴのポイント数、伝送時間間隔（ＴＴＩ）に含まれる該ＯＦＤＭシンボル数、所定期間内に含まれる該ＴＴＩの数と信号プレフィックスタイプのうちの少なくとも一つを含む。
【００９２】
選択可能に、本発明の実施例では、該第一の装置がネットワーク装置であり、該第二の装置が端末装置であり、又は該第一の装置が端末装置であり、該第二の装置がネットワーク装置であり、又は該第一の装置が端末装置であり、該第二の装置が端末装置である。
【００９３】
理解すべきものとして、本発明の実施例による信号伝送装置２００は本発明の方法の実施例における第一の装置に対応することができ、そして装置２００における各ユニットの上記と他の操作及び／又は機能はそれぞれ図３における方法における対応するプロセスを実現するためのものであり、簡潔にするために、ここで説明を省略する。
【００９４】
図５に示すように、本発明の実施例はさらに信号伝送装置３００を提供し、該装置３００が第一の装置であり、該装置３００はプロセッサ３１０、メモリ３２０、バスシステム３３０と送受信機３４０を備え、ここで、該プロセス３１０、該メモリ３２０と該送受信機３４０がバスシステムを介して接続され、該メモリ３２０が命令を記憶することに用いられ、該プロセッサ３１０が該メモリ３２０に記憶された命令を実行し、信号を送信するように該送受信機３４０を制御することに用いられ、ここで、該プロセッサ３１０は信号伝送のための基礎パラメータセット及び／又は動作周波数帯域に基づき、該信号伝送のためのビーム数又は該信号の伝送数Ｎを確定し、Ｎが正整数であり、該ビーム数又は該伝送数Ｎに基づき、第二の装置との該信号の伝送を行うように構成される。
【００９５】
したがって、本発明の実施例による信号伝送装置では、信号伝送のための基礎パラメータセット及び／又は動作周波数帯域に基づき、ビーム数又は信号の伝送数を柔軟に確定することができ、それによってより良いビームフォーミングゲインを取得することができる。
【００９６】
理解すべきものとして、本発明の実施例では、該プロセッサ３１０は中央処理ユニット（Ｃｅｎｔｒａｌ  Ｐｒｏｃｅｓｓｉｎｇ  Ｕｎｉｔ：「ＣＰＵ」と略称）であってもよく、該プロセッサ３１０はさらに他の汎用プロセッサ、デジタル信号プロセッサ（ＤＳＰ）、専用特定用途向け集積回路（ＡＳＩＣ）、フィールドプログラマブルゲートアレイ（ＦＰＧＡ）又は他のプログラマブルロジックデバイス、ディスクリートゲート又はトランジスタロジックデバイス、ディスクリートハードウェアコンポーネントなどであってもよい。汎用プロセッサはマイクロプロセッサであってもよく、又は該プロセッサはいずれかの従来のプロセッサなどであってもよい。
【００９７】
該メモリ３２０は読み取り専用メモリとランダムアクセスメモリを含み、そしてプロセッサ３１０に命令とデータを提供することができる。メモリ３２０の一部はさらに不揮発性ランダムアクセスメモリを含むことができる。例えば、メモリ３２０はさらに装置タイプの情報を記憶することができる。
【００９８】
該バスシステム３３０はデータバス以外、電源バス、制御バスと状態信号バスなどを含むことができる。しかし、明確に説明するために、図において様々なバスはバスシステム３３０として記載される。
【００９９】
実施プロセスにおいて、上記方法の各ステップはプロセッサ３１０におけるハードウェアの統合ロジック回路又はソフトウェア形態の命令により完了されてもよい。本発明の実施例と組み合わせて開示される方法のステップはハードウェアプロセッサによって実行されて完了され、又はプロセッサにおけるハードウェアモジュール及びソフトウェアモジュールの組み合わせによって実行されて完了されるように直接具現化されてもよい。ソフトウェアモジュールはランダムアクセスメモリ、フラッシュメモリ、読み取り専用メモリ、プログラマブル読み取り専用メモリ又は電気的消去可能プログラマブルメモリ、レジスタなどの本分野における成熟した記憶媒体に位置してもよい。該記憶媒体はメモリ３２０に位置し、プロセッサ３１０はメモリ３２０における情報を読み取り、そのハードウェアと組み合わせて上記方法のステップを完了する。繰り返しを回避するために、ここで詳細な説明を省略する。
【０１００】
選択可能に、本発明の実施例では、該プロセッサ３１０はさらに少なくとも一つの基礎パラメータセットから該基礎パラメータセットを確定するように構成され、又は少なくとも一つの動作周波数帯域から該動作周波数帯域を確定するように構成される。
【０１０１】
選択可能に、本発明の実施例では、該プロセッサ３１０は具体的に該基礎パラメータセット及び予め設定された第一の対応関係に基づき、該ビーム数又は該伝送数Ｎを確定するように構成され、該第一の対応関係が該基礎パラメータセットと該ビーム数又は該伝送数Ｎとの対応関係であり、又は該動作周波数帯域及び予め設定された第二の対応関係に基づき、該ビーム数又は該伝送数Ｎを確定するように構成され、該第二の対応関係が該動作周波数帯域と該ビーム数又は該伝送数Ｎとの対応関係である。
【０１０２】
選択可能に、本発明の実施例では、該プロセッサ３１０は具体的に該ビーム数又は該伝送数Ｎに基づき、該ビーム数又は伝送数Ｎに対応する物理リソース又はシーケンスリソースを確定し、該物理リソース又は該シーケンスリソースで該第二の装置との該信号の伝送を行うように構成される。
【０１０３】
選択可能に、本発明の実施例では、該プロセッサ３１０は具体的に該ビーム数に基づき、該第二の装置へ該ビーム数に対応するビームフォーミングされた該信号を送信するように構成され、又は該第二の装置から送信された、該ビーム数に対応するビームフォーミングされた該信号を受信するように構成される。
【０１０４】
選択可能に、本発明の実施例では、該プロセッサ３１０は具体的に該伝送数Ｎに基づき、該第二の装置へＮ個の該信号を送信するように構成され、又は該第二の装置によって該伝送数Ｎに基づいて送信されたＮ個の該信号を受信するように構成される。
【０１０５】
選択可能に、本発明の実施例では、該プロセッサ３１０は具体的にＮ個の該信号に対して異なるビームを使用してフォーミングするように構成され、ここで、Ｎが１より大きい正整数である。
【０１０６】
選択可能に、本発明の実施例では、該プロセッサ３１０はさらに該ビーム数又は該伝送数Ｎに基づき、該第二の装置から送信されたフィードバック情報を受信するように構成され、又は該ビーム数又は該伝送数Ｎに基づき、該第二の装置へフィードバック情報を送信するように構成され、ここで、該フィードバック情報が該ビーム数に対応するビームセットにおける第一のビーム、又は該伝送数Ｎに対応する信号セットにおける第一の信号を示すことに用いられる。
【０１０７】
選択可能に、本発明の実施例では、該フィードバック情報は該第一のビームのビーム識別子及び／又は該ビーム識別子に対応するチャネル状態情報ＣＳＩを含み、又は該フィードバック情報は該第一の信号の信号識別子及び／又は該信号識別子に対応するチャネル状態情報ＣＳＩを含む。
【０１０８】
選択可能に、本発明の実施例では、該ＣＳＩはランク指示（ＲＩ）、プリコーディングマトリックスインジケータ（ＰＭＩ）とチャネル品質インジケータ（ＣＱＩ）のうちの少なくとも一つを含む。
【０１０９】
選択可能に、本発明の実施例では、該プロセッサ３１０は具体的に該第二の装置から送信された指示情報に基づき、該基礎パラメータセットを確定するように構成され、該指示情報が該少なくとも一つの基礎パラメータセットの一つの基礎パラメータセットを示すことに用いられ、又はデータ伝送のためのサービスタイプ又は動作周波数ポイントに基づき、該少なくとも一つの基礎パラメータセットから該基礎パラメータセットを確定ように構成され、又は、該少なくとも一つの基礎パラメータセットをブラインド検出し、該基礎パラメータセットを確定するように構成される。
【０１１０】
選択可能に、本発明の実施例では、該信号は同期信号、ブロードキャスト信号、ランダムアクセス信号とダウンリンク基準信号のうちの少なくとも一つを含む。
【０１１１】
選択可能に、本発明の実施例では、該基礎パラメータセットはサブ搬送波間隔、システム帯域幅に対応するサブ搬送波数、物理リソースブロック（ＰＲＢ）に対応するサブ搬送波数、直交周波数分割多重（ＯＦＤＭ）のシンボル長、ＯＦＤＭ信号を生成するためのＦＦＴ又はＩＦＦＴのポイント数、伝送時間間隔（ＴＴＩ）に含まれる該ＯＦＤＭシンボル数、所定期間内に含まれる該ＴＴＩの数と信号プレフィックスタイプのうちの少なくとも一つを含む。
【０１１２】
選択可能に、本発明の実施例では、該第一の装置がネットワーク装置であり、該第二の装置が端末装置であり、又は該第一の装置が端末装置であり、該第二の装置がネットワーク装置であり、又は該第一の装置が端末装置であり、該第二の装置が端末装置である。
【０１１３】
理解すべきものとして、本発明の実施例による信号伝送装置３００は本発明の実施例における第一の装置及び装置２００に対応することができ、そして本発明の実施例による方法における第一の装置に対応することができ、そして装置３００における各ユニットの上記と他の操作及び／又は機能はそれぞれ図３における方法における対応するプロセスを実現するためのものであり、簡潔にするために、ここで説明を省略する。
【０１１４】
理解すべきものとして、本発明の実施例では、「Ａに対応するＢ」はＢがＡに関連付けられ、Ａに基づいてＢを確定することができることを示す。しかし、理解すべきものとして、Ａに基づいてＢを確定することはＡのみに基づいてＢを確定することを意味せず、Ａ及び／又は他の情報に基づいてＢを確定することができる。
【０１１５】
当業者であれば、本明細書に開示される実施例と組み合わせて説明された各例のユニット及びアルゴリズムステップは、電子ハードウェア、コンピュータソフトウェア又は両者の組み合わせで実現されてもよく、ハードウェアとソフトウェアの互換性を明確に説明するために上記で機能に従って各例の構成及びステップを一般的に説明したと理解できる。これらの機能がハードウェア又はソフトウェアで実行されるかどうかは技術的解決策の特定アプリケーションと設計制約条件に依存する。専門技術者は各特定のアプリケーションに対して異なる方法を使用して説明された機能を実現することができるが、このような実現は本発明の範囲を超えていると考えられるべきではない。
【０１１６】
当業者は便宜上且つ簡潔に説明するために、上述したシステム、装置とユニットの具体的な動作プロセスについて上記方法の実施例における対応するプロセスを参照でき、ここでは説明を省略することを明確に理解することができる。
【０１１７】
本出願が提供するいくつかの実施例では、開示されたシステム、装置および方法は他の方式により実現されてもよいと理解すべきである。例えば、上述した装置の実施例は例示的なものに過ぎず、例えば、該ユニットの区分はロジック機能的区分に過ぎず、実際に実施する時に他の区分方式もあり得る。例えば複数のユニット又は部材が組み合わせられてもよく、又は他のシステムに統合されてもよく、又はいくつかの特徴は無視されてもよく、又は実行されなくてもよい。また、示される又は議論される相互結合又は直接結合又は通信接続はいくつかのインターフェース、装置又はユニットを介する間接的結合又は通信接続であってもよく、電気的、機械的又は他の形態であってもよい。
【０１１８】
分離部材として説明された該ユニットは物理的に分離するものであってもよく又は物理的に分離するものでなくてもよく、ユニットとして表示された部材は物理的ユニットであってもよく又は物理的ユニットでなくてもよく、すなわち一つの箇所に位置してもよく、又は複数のネットワークユニットに分布してもよい。実際のニーズに応じてその中の一部又は全てのユニットを選択して本実施例の解決策の目的を達成することができる。
【０１１９】
また、本発明の各実施例における各機能ユニットは一つの処理ユニットに統合されてもよく、個々のユニットは単独で物理的に存在してもよく、二つ又は二つ以上のユニットは一つのユニットに統合されてもよい。上記の統合されたユニットはハードウェアの形態だけでなく、ソフトウェア機能ユニットの形態で実施することができる。
【０１２０】
該統合されたユニットがソフトウェア機能ユニットの形態で実現され且つ独立した製品として販売又は使用される場合、一つのコンピュータ読み取り可能な記憶媒体に格納されてもよい。このような理解に基づき，本発明の技術的解決策は本質的にソフトウェア製品の形態で実現されてもよく、又は従来技術に貢献する一部又は該技術的解決策の全部又は一部がソフトウェア製品の形態で実現されてもよく、該コンピュータソフトウェア製品は一つのコンピュータ装置（パーソナルコンピュータ、サーバ、又はネットワーク装置などあってもよい）に本発明の各実施例に記載の方法の全部又は一部のステップを実行させるためのいくつかの命令を含む記憶媒体に記憶される。前記記憶媒体はＵディスク、モバイルハードディスク、読み出し専用メモリ（ＲＯＭ：Ｒｅａｄ−Ｏｎｌｙ  Ｍｅｍｏｒｙ）、ランダムアクセスメモリ（ＲＡＭ：Ｒａｎｄｏｍ  Ａｃｃｅｓｓ  Ｍｅｍｏｒｙ）、磁気ディスク又は光ディスク等のプログラムコードを記憶できる各種の媒体を含む。
【０１２１】
以上は、本出願の具体的な実施形態に過ぎず、本出願の保護範囲はこれに制限されず、当業者が本出願に開示された技術範囲内で容易に想到し得る変化又は入れ替わりが全て本出願の保護範囲内に含まれるべきである。したがって、本出願の保護範囲は特許請求の範囲によって準拠するべきである。
【図１】
2020504464.tif 000006
【図２】
2020504464.tif 000007
【図３】
2020504464.tif 000008
【図４】
2020504464.tif 000009
【図５】
2020504464.tif 000010
【手続補正書】
【提出日】令和1年7月26日(2019.7.26)
【手続補正１】
【補正対象書類名】特許請求の範囲
【補正対象項目名】全文
【補正方法】変更
【補正の内容】
【特許請求の範囲】
【請求項１】
信号伝送方法であって、
第一の装置が信号伝送のための基礎パラメータセット及び／又は動作周波数帯域に基づき、前記信号伝送のためのビーム数又は前記信号の伝送数Ｎを確定することであって、Ｎが正整数である、ことと、
前記第一の装置が前記ビーム数又は前記伝送数Ｎに基づき、第二の装置との前記信号の伝送を行うこととを含む、前記信号伝送方法。
【請求項２】
前記第一の装置が信号伝送のための基礎パラメータセット及び／又は前記動作周波数帯域に基づき、前記信号伝送のためのビーム数又は前記信号の伝送数Ｎを確定する前に、前記信号伝送方法はさらに、
前記第一の装置が少なくとも一つの基礎パラメータセットから前記基礎パラメータセットを確定すること、又は少なくとも一つの動作周波数帯域から前記動作周波数帯域を確定することを含むことを特徴とする
請求項１に記載の信号伝送方法。
【請求項３】
前記第一の装置が信号伝送のための基礎パラメータセット及び／又は前記動作周波数に基づき、前記信号伝送のためのビーム数又は前記信号の伝送数Ｎを確定することは、
前記第一の装置が前記基礎パラメータセット及び予め設定された第一の対応関係に基づき、前記ビーム数又は前記伝送数Ｎを確定することであって、前記第一の対応関係が前記基礎パラメータセットと前記ビーム数又は前記伝送数Ｎとの対応関係であること、又は
前記第一の装置が前記動作周波数帯域及び予め設定された第二の対応関係に基づき、前記ビーム数又は前記伝送数Ｎを確定することであって、前記第二の対応関係が前記動作周波数帯域と前記ビーム数又は前記伝送数Ｎとの対応関係であることを含むことを特徴とする
請求項１又は２に記載の信号伝送方法。
【請求項４】
前記第一の装置が前記ビーム数又は前記伝送数Ｎに基づき、第二の装置との前記信号の伝送を行うことは、
前記第一の装置が前記ビーム数又は前記伝送数Ｎに基づき、前記ビーム数又は前記伝送数Ｎに対応する物理リソース又はシーケンスリソースを確定することと、
前記第一の装置が前記物理リソース又は前記シーケンスリソースで前記第二の装置との前記信号の伝送を行うこととを含むことを特徴とする
請求項１−３のいずれか一項に記載の信号伝送方法。
【請求項５】
前記第一の装置が前記伝送数Ｎに基づき、第二の装置との前記信号の伝送を行うことは、
前記第一の装置が前記伝送数Ｎに基づき、前記第二の装置へＮ個の前記信号を送信すること、又は
前記第一の装置が、前記第二の装置によって前記伝送数Ｎに基づいて送信されたＮ個の前記信号を受信することを含むことを特徴とする
請求項１−４のいずれか一項に記載の信号伝送方法。
【請求項６】
前記第一の装置が前記ビーム数又は前記伝送数Ｎに基づき、第二の装置との前記信号の伝送を行った後、前記信号伝送方法はさらに、
前記第一の装置が前記ビーム数又は前記伝送数Ｎに基づき、前記第二の装置から送信されたフィードバック情報を受信すること、又は
前記第一の装置が前記ビーム数又は前記伝送数Ｎに基づき、前記第二の装置へフィードバック情報を送信することを含み、
ここで、前記フィードバック情報が前記ビーム数に対応するビームセットの第一のビーム、又は前記伝送数Ｎに対応する信号セットの第一の信号を示すことに用いられることを特徴とする
請求項１−５のいずれか一項に記載の信号伝送方法。
【請求項７】
前記第一の装置が少なくとも一つの基礎パラメータセットから前記基礎パラメータセットを確定することは、
前記第一の装置が前記第二の装置から送信された指示情報に基づき、前記基礎パラメータセットを確定することであって、前記指示情報が前記少なくとも一つの基礎パラメータセットの一つの基礎パラメータセットを示すことに用いられること、又は
前記第一の装置がデータ伝送のためのサービスタイプ又は動作周波数ポイントに基づき、前記少なくとも一つの基礎パラメータセットから前記基礎パラメータセットを確定すること、又は
前記第一の装置が前記少なくとも一つの基礎パラメータセットをブラインド検出し、前記基礎パラメータセットを確定することを含むことを特徴とする
請求項２に記載の信号伝送方法。
【請求項８】
前記信号は同期信号、ブロードキャスト信号、ランダムアクセス信号及びダウンリンク基準信号のうちの少なくとも一つを含むことを特徴とする
請求項１−７のいずれか一項に記載の信号伝送方法。
【請求項９】
前記基礎パラメータセットは、サブ搬送波間隔、システム帯域幅に対応するサブ搬送波数、物理リソースブロック（ＰＲＢ）に対応するサブ搬送波数、直交周波数分割多重（ＯＦＤＭ）のシンボル長、ＯＦＤＭ信号を生成するための高速フーリエ変換（ＦＦＴ）又は高速逆フーリエ変換（ＩＦＦＴ）のポイント数、伝送時間間隔（ＴＴＩ）に含まれる前記ＯＦＤＭシンボル数、所定期間内に含まれる前記ＴＴＩの数及び信号プレフィックスタイプのうちの少なくとも一つを含むことを特徴とする
請求項１−８のいずれか一項に記載の信号伝送方法。
【請求項１０】
前記第一の装置がネットワーク装置であり、前記第二の装置が端末装置であり、又は
前記第一の装置が端末装置であり、前記第二の装置がネットワーク装置であり、又は
前記第一の装置が端末装置であり、前記第二の装置が端末装置であることを特徴とする
請求項１−９のいずれか一項に記載の信号伝送方法。
【請求項１１】
信号伝送装置であって、前記信号伝送装置が第一の装置であり、前記信号伝送装置は、
信号伝送のための基礎パラメータセット及び／又は動作周波数帯域に基づき、前記信号伝送のためのビーム数又は前記信号の伝送数Ｎを確定するように構成される第一の確定ユニットであって、Ｎが正整数である、第一の確定ユニットと、
前記ビーム数又は前記伝送数Ｎに基づき、第二の装置との前記信号の伝送を行うように構成される伝送ユニットとを備える、前記信号伝送装置。
【請求項１２】
前記信号伝送装置はさらに、
少なくとも一つの基礎パラメータセットから前記基礎パラメータセットを確定するように構成され、又は少なくとも一つの動作周波数帯域から前記動作周波数帯域を確定するように構成される第二の確定ユニットを備えることを特徴とする
請求項１１に記載の信号伝送装置。
【請求項１３】
前記第一の確定ユニットは具体的に、
前記基礎パラメータセット及び予め設定された第一の対応関係に基づき、前記ビーム数又は前記伝送数Ｎを確定するように構成され、前記第一の対応関係が前記基礎パラメータセットと前記ビーム数又は前記伝送数Ｎとの対応関係であること、又は
前記動作周波数帯域及び予め設定された第二の対応関係に基づき、前記ビーム数又は前記伝送数Ｎを確定するように構成され、前記第二の対応関係が前記動作周波数帯域と前記ビーム数又は前記伝送数Ｎとの対応関係であることを特徴とする
請求項１１又は１２に記載の信号伝送装置。
【請求項１４】
前記伝送ユニットは具体的に、
前記ビーム数又は前記伝送数Ｎに基づき、前記ビーム数又は伝送数Ｎに対応する物理リソース又はシーケンスリソースを確定し、
前記物理リソース又は前記シーケンスリソースで前記第二の装置との前記信号の伝送を行うように構成されることを特徴とする
請求項１１−１３のいずれか一項に記載の信号伝送装置。
【請求項１５】
前記伝送ユニットは具体的に、
前記伝送数Ｎに基づき、前記第二の装置へＮ個の前記信号を送信するように構成され、又は
前記第二の装置によって前記伝送数Ｎに基づいて送信されたＮ個の前記信号を受信するように構成されることを特徴とする
請求項１１−１４のいずれか一項に記載の信号伝送装置。
【請求項１６】
前記伝送ユニットはさらに、
前記ビーム数又は前記伝送数Ｎに基づき、前記第二の装置から送信されたフィードバック情報を受信するように構成され、又は
前記ビーム数又は前記伝送数Ｎに基づき、前記第二の装置へフィードバック情報を送信するように構成され、ここで、前記フィードバック情報が前記ビーム数に対応するビームセットの第一のビーム、又は前記伝送数Ｎに対応する信号セットの第一の信号を示すことに用いられることを特徴とする
請求項１１−１５のいずれか一項に記載の信号伝送装置。
【請求項１７】
前記第二の確定ユニットは具体的に、
前記第二の装置から送信された指示情報に基づき、前記基礎パラメータセットを確定するように構成され、前記指示情報が前記少なくとも一つの基礎パラメータセットの一つの基礎パラメータセットを示すことに用いられ、又は
データ伝送のためのサービスタイプ又は動作周波数ポイントに基づき、前記少なくとも一つの基礎パラメータセットから前記基礎パラメータセットを確定ように構成され、又は、
前記少なくとも一つの基礎パラメータセットをブラインド検出し、前記基礎パラメータセットを確定するように構成されることを特徴とする
請求項１２に記載の信号伝送装置。
【請求項１８】
前記信号は同期信号、ブロードキャスト信号、ランダムアクセス信号及びダウンリンク基準信号のうちの少なくとも一つを含むことを特徴とする
請求項１１−１７のいずれか一項に記載の信号伝送装置。
【請求項１９】
前記基礎パラメータセットはサブ搬送波間隔、システム帯域幅に対応するサブ搬送波数、物理リソースブロック（ＰＲＢ）に対応するサブ搬送波数、直交周波数分割多重（ＯＦＤＭ）のシンボル長、ＯＦＤＭ信号を生成するための高速フーリエ変換（ＦＦＴ）又は高速逆フーリエ変換（ＩＦＦＴ）のポイント数、伝送時間間隔（ＴＴＩ）に含まれる前記ＯＦＤＭシンボル数、所定期間内に含まれる前記ＴＴＩの数及び信号プレフィックスタイプのうちの少なくとも一つを含むことを特徴とする
請求項１１−１８のいずれか一項に記載の信号伝送装置。
【国際調査報告】
2020504464.tif 000011
2020504464.tif 000012
2020504464.tif 000013
2020504464.tif 000014